(57)【特許請求の範囲】
【請求項１】
接地されたケース内に該ケースと電気的に接続されるように設けられた下板と、
前記ケース内において、前記下板の上方の離れた位置に前記下板と対向するように設けられた上板と、
該上板の下面に取付けられたガイド部材と、
前記ガイド部材に設けられた締付部と、
導電性ハウジング内に、該導電性ハウジングによりシールドされた磁気記録媒体を含み、前記ガイド部材に対して摺動しながら水平方向に着脱可能な磁気記録ユニットと、
前記導電性ハウジングに設けられ、前記磁気記録ユニットが前記ガイド部材に装着された状態で前記締付部に当接するフランジ部と、
前記フランジ部が前記締付部に当接した状態で前記磁気記録ユニットを前記ガイド部材に固定する固定部材と、
弾性を有する導電性材料にて形成され、前記ガイド部材に装着された前記磁気記録ユニットの下面と前記下板の上面のうちの一側に取付けられ、他側と弾発的に係合して、前記磁気記録ユニットと前記下板との間を電気的に接続させるアース片と、
弾性を有する導電性材料にて形成され、前記ガイド部材の下部と前記下板の上面のうちの一側に取付け固定され、他側と弾発的に係合して、前記ガイド部材と前記下板との間を電気的に接続させる金属性の付加アース片と、
を備えたことを特徴とする磁気記録装置。
【請求項２】
前記アース片および前記付加アース片は、ともに前記下板の上面に取付けられ、前記ガイド部材に装着された前記磁気記録ユニットの下面または前記ガイド部材の下部と係合することを特徴とする請求項１記載の磁気記録装置。
【請求項３】
前記アース片および前記付加アース片は、弾性力を備えたばね部材によって形成され、該弾性力のみによって前記磁気記録ユニットの下面または前記ガイド部材の下部と係合することを特徴とする請求項２記載の磁気記録装置。
【発明の詳細な説明】
【技術分野】
【０００１】
本発明は、磁気記録媒体を備えた磁気記録装置に関する。
【背景技術】
【０００２】
例えば、ハードディスク装置のような磁気記録装置は、車載ナビゲーション装置等に使用されている。磁気記録装置は外部からのノイズの影響を受けないように、内蔵している磁気記録媒体をシールドする磁気記録ユニットの接地性（グランディング）を強化しなければならない。そのためには、装置全体の車両等に対する接地を強化するとともに、装置内部においても、磁気記録ユニットを装置のケースに対して十分に電気的に接続する必要があった。
一方、メンテナンスサービス上の理由から、通常、磁気記録媒体を含んだ磁気記録ユニットは、装置のケースに形成されたガイド部材に対して着脱可能にしている場合が多かった（例えば、特許文献１参照）。
【特許文献１】特開平５−３３５７５６号（第３頁、第４図）
【発明の開示】
【発明が解決しようとする課題】
【０００３】
ここで図５において、上述した従来技術による磁気記録装置の構成を簡略的に表す。磁気記録装置５０のケース５１は車両等に接地されており、ケース５１内にはケース５１と電気的に接続された板部材５２が設けられている。板部材５２の下面には筒状のガイド部材５３が取付けられ、ガイド部材５３中には磁気記録ユニット５４が水平方向（図５において左右方向）に摺動可能とされている。
【０００４】
磁気記録ユニット５４内には、ハウジング５５によりシールドされた磁気記録媒体（図示せず）が内蔵されており、ガイド部材５３中を移動することにより、磁気記録ユニット５４はケース５１に対し着脱可能となっている。また、ガイド部材５３に装着された磁気記録ユニット５４はネジ５６を１本締め付けるのみにより固定されており、ケース５１に対し強固には固定せずに着脱を容易にし、磁気記録装置５０のサービス性の向上を図っていた。このように形成されることにより、磁気記録ユニット５４のハウジング５５はガイド部材５３と電気的に接続され、板部材５２およびケース５１を介して接地されている。
【０００５】
しかしながら、上述したように磁気記録装置５０は、磁気記録媒体を含んだ磁気記録ユニット５４がガイド部材５３に対して摺動可能な構成をとっているため、磁気記録ユニット５４とガイド部材５３との間に摺動を許容するだけの隙間を必要とし、これにさらに、装置５０全体に対して外部から振動が加わると、磁気記録ユニット５４とガイド部材５３との間の接触が不安定となることがあった。そのため、磁気記録ユニット５４あるいはガイド部材５３のケース５１に対する電気的接続が不十分となって、これらが電位的に不安定となり、外部からノイズが照射された場合、ある共振周波数において共振が発生しやすく、磁気記録媒体のノイズに対する電磁感受性（ＥＭＳ：Electro Magnetic Susceptibility）が低下する恐れがあった。特に、図５においては左方からノイズが照射された場合に、磁気記録ユニット５４の着脱部位の隙間からノイズが混入しやすかった。
本発明は、上記事情に鑑みてなされたものであり、その目的は、外部からのノイズに対する耐性を向上させることのできる磁気記録装置を提供することにある。
【課題を解決するための手段】
【０００６】
本発明の課題を解決するために、請求項１の磁気記録装置によれば、弾性を有する導電性材料にて形成され、磁気記録ユニットと下板との間を電気的に接続させるアース片を備えたことにより、アース片が磁気記録ユニットと接地された下板との間の電気的接続を確保することができるため、磁気記録ユニットの接地性が向上し、外部からのノイズに対する耐性を向上させることができる。
【０００７】
また、弾性を有する導電性材料にて形成され、ガイド部材の下部と下板との間を電気的に接続させる付加アース片を備えたことにより、磁気記録ユニットがアース片を介して下板と電気的に接続されることに加えて、ガイド部材と付加アース片を介しても下板と電気的に接続されるため、いっそう磁気記録ユニットの接地性を向上させることができる。
【０００８】
請求項２の磁気記録装置によれば、アース片および付加アース片はともに、ガイド部材に装着された磁気記録ユニットの下面およびガイド部材の下部と係合するように、下板の上面に取付けられているため、下板の平坦部にアース片および付加アース片を容易に設けることができる。
【発明を実施するための最良の形態】
【０００９】
図１乃至図４に基づいて、本発明の一実施形態について説明する。説明中において、図２および図３の左方をハードディスク装置１の前方とし、図１の左側をハードディスク装置１の左方とし、図１の右側をハードディスク装置１の右方とする。図１に示すように、車載ナビゲーション装置（図示せず）等に搭載されるハードディスク装置１（本発明の磁気記録装置に該当する）は、車両のボデー等に接地（アース）されたケース２（本発明のケースに該当する）を備えている。ケース２は導電性を有した金属製の板材により、箱型に形成されている。
【００１０】
ケース２内には、取付プレート３（本発明の上板に該当する）が上下方向のほぼ中央に設けられており、これはケース２の底板４（本発明の下板に該当し、当然のことながら接地されている）に対して上方の離れた位置において対向している。取付プレート３は導電性を有する金属製の板材により形成され、その周囲はケース２の側壁（符号なし）と接することにより、ケース２と電気的に接続されている。また、取付プレート３はハードディスク装置１内の各基板（図示せず）のシールド機能を有しており、その中央部には、後述するガイド部材５を取り付けることに使用される一対のカシメ孔３ａが形成されている（図１示）。
【００１１】
ガイド部材５（本発明のガイド部材に該当する）は導電性を有する金属製の板材をプレス成形して形成されており、平坦な上面部６と、上面部６の両側端から鉛直方向に下降する一対の側面部７と、各々の側面部７の下端からそれぞれ水平方向内方へと延びた一対の支持部８とを有している（図１示）。これによりガイド部材５は、前後方向に延び下面が破断した筒状を呈しており、内部には後述するディスクドライブユニット１１が収容される空間が形成されている。
【００１２】
ガイド部材５の上面部６の中央部には一対の取付孔６ａが貫通している。また、上面部６の前端部には、上方に向けて折り曲げられた締付部９が形成されており、締付部９にはメネジが形成された固定孔９ａが形成されている。ガイド部材５は、その上面部６を取付プレート３の下面に当接させ、取付プレート３のカシメ孔３ａの位置に取付孔６ａを一致させた状態で、カシメピン１０をカシメ孔３ａおよび取付孔６ａに挿通させた後にかしめることにより、取付プレート３の下面に固定される。
【００１３】
ディスクドライブユニット１１（本発明の磁気記録ユニットに該当する）は、内部にハードディスク（本発明の磁気記録媒体に該当し図示せず）を内蔵した導電性ハウジング１２（本発明の導電性ハウジングに該当する）を備えている。導電性ハウジング１２は、導電性を有する金属製の板材をプレス成形することにより箱状に形成され、内蔵されたハードディスクを電気的にシールドしている。また、導電性ハウジング１２の前面には、同様にハードディスクをシールドするフランジ部１３が形成されており、フランジ部１３の上方には締付孔１３ａが貫通するとともに、締付孔１３ａの下方には、メンテナンスサービス時に手を掛けるためのフック部１４が形成されている。
【００１４】
ディスクドライブユニット１１は、ガイド部材５中を摺動しながら水平方向（前後方向）に移動することにより、ケース２に対して着脱可能に形成されている。ディスクドライブユニット１１はガイド部材５に対して最も後方に移動した位置において、フランジ部１３がガイド部材５の締付部９に当接する。この状態において、締付孔１３ａに挿通させた固定螺子１５を固定孔９ａに締め付けることにより、ディスクドライブユニット１１はガイド部材５に固定される。また、ディスクドライブユニット１１は最も後方に移動した位置において、後端部に形成されたコネクタがケース２に取り付けられたコネクタ１６と嵌合可能となる（図２示）。
【００１５】
ケース２の底板４上には、導電性を有する金属製の板材にて形成された第１アース片１７（本発明のアース片に該当する）と、同じく導電性を有する金属製の板材にて形成された一対の第２アース片１８（本発明の付加アース片に該当する）が取付けられている。第１アース片１７および第２アース片１８は、弾性力を備えたバネ材により形成されることが望ましい。
【００１６】
図１および図３に示すように、第１アース片１７は、底板４に溶接あるいはかしめ等により固定される取付部１７ａと、取付部１７ａから上方に向けて略「く」の字状に延びた延在部１７ｂとにより形成されている。第１アース片１７は底板４上の中央に固定された状態で、延在部１７ｂの頂上部位がガイド部材５に装着されたディスクドライブユニット１１の下面に当接している。第１アース片１７の延在部１７ｂは弾性を有するため、ディスクドライブユニット１１の下面に当接した状態でディスクドライブユニット１１が上下方向に振動しても、ディスクドライブユニット１１の動きに追従して離れることはない。
【００１７】
図１および図２に示すように、各々の第２アース片１８は第１アース片１７と同様に、底板４に溶接あるいはかしめ等により固定される取付部１８ａと、取付部１８ａから上方に向けて略「く」の字状に延びた延在部１８ｂとにより形成されている。一方の第２アース片１８は底板４上の左方に固定された状態で、延在部１８ｂの頂上部位が取付プレート３に固定されたガイド部材５の左側の支持部８の下面に当接している。また、他方の第２アース片１８は底板４上の右方に固定された状態で、延在部１８ｂの頂上部位が取付プレート３に固定されたガイド部材５の右側の支持部８の下面に当接している（図４示）。
第１アース片１７および第２アース片１８は、それぞれディスクドライブユニット１１の下面およびガイド部材５の下部と弾発的に係合して、ディスクドライブユニット１１およびガイド部材５と底板４との間を電気的に接続させている。
【００１８】
ハードディスク装置１に対してメンテナンスサービス等を行う場合には、固定螺子１５を緩めて、ディスクドライブユニット１１をガイド部材５から引き出して取り外し、またディスクドライブユニット１１をガイド部材５に挿入して装着するのであるが、この場合にも、弾性力を有する第１アース片１７の延在部１７ｂは、ディスクドライブユニット１１の下面に対して摺動しながら追従することが可能である。
【００１９】
本実施形態によれば、弾性を有する導電性材料にて形成され、ディスクドライブユニット１１と底板４との間を電気的に接続させる第１アース片１７を備えたことにより、第１アース片１７がディスクドライブユニット１１と接地された底板４との間の電気的接続を確保することができるため、ディスクドライブユニット１１の接地性が向上し、外部からのノイズに対する耐性を向上させることができる。
【００２０】
また、弾性を有する導電性材料にて形成され、ガイド部材５の下部と底板４との間を電気的に接続させる第２アース片１８を備えたことにより、ディスクドライブユニット１１が第１アース片１７を介して底板４と電気的に接続されることに加えて、ガイド部材５と第２アース片１８を介しても底板４と電気的に接続されるため、いっそうディスクドライブユニット１１の接地性を向上させることができる。
【００２１】
また、第１アース片１７および第２アース片１８は、ガイド部材５に装着されたディスクドライブユニット１１の下面およびガイド部材５の下部と係合するように、底板４の上面に取付けられているため、底板４の平坦部に第１アース片１７および第２アース片１８を容易に設けることができる。
【００２２】
また、弾性を有する第１アース片１７の延在部１７ｂは、ガイド部材５に装着されたディスクドライブユニット１１に当接して、ディスクドライブユニット１１をガイド部材５に対して上方へと押圧するため、ディスクドライブユニット１１の振動を低減してガイド部材５に対する密着性を強化し、ガイド部材５と第２アース片１８を介したディスクドライブユニット１１の接地性をさらに向上させることができる。
【００２３】
＜他の実施形態＞
本発明は、上述した実施形態に限定されるものではなく、次のように変形または拡張することができる。
第２アース片１８を設けず、第１アース片１７のみによりディスクドライブユニット１１と底板４との間を電気的に接続してもよい。
第１アース片１７をディスクドライブユニット１１の下面に取り付け、延在部１７ｂが底板４に当接するようにしてもよい。また、第２アース片１８をガイド部材５の下部に取り付け、延在部１８ｂが底板４に当接するようにしてもよい。
【００２４】
ケース２内の取付プレート３の下方に、底板４とは別にケース２と電気的に接続された板材を設け、当該板材上にアース片１７、１８を取り付けてもよい。
本発明によるハードディスク装置１は車載ナビゲーション装置のみでなく、オーディオ装置またはその他の車載コンピュータ等にも使用可能である。
【図面の簡単な説明】
【００２５】
【図１】本発明の一実施形態によるハードディスク装置の分解斜視図
【図２】図１に示したハードディスク装置のガイド部材の支持部の位置で切断した場合の縦断面図
【図３】図１に示したハードディスク装置の左右中央部で切断した場合の縦断面図
【図４】図１に示したハードディスク装置の前後中央部で切断した場合の縦断面図
【図５】従来技術によるハードディスク装置の縦断面図
【符号の説明】
【００２６】
図面中、１はハードディスク装置（磁気記録装置）、２はケース、３は取付プレート（上板）、４は底板（下板）、５はガイド部材、１１はディスクドライブユニット（磁気記録ユニット）、１２は導電性ハウジング、１７は第１アース片（アース片）、１８は第２アース片（付加アース片）を示している。
【図１】
0005092775.tif 000002
【図２】
0005092775.tif 000003
【図３】
0005092775.tif 000004
【図４】
0005092775.tif 000005
【図５】
0005092775.tif 000006